(57)【要約】  本発明は、年齢やハンディキャップまたは運動機能不足ゆえに自分ではブラッシングできない人に対する補助方法において、自分ではブラッシングできない人の全ての歯の適切なブラッシングを保証する第三者によってブラッシングがなされるようにして、歯の両側および両歯列弓を同時にブラッシング可能にする補助歯科清掃装置に関する。装置はまた、２つの歯列弓のブラッシング処理における清掃時間の短縮およびより簡単およびより便利にする目的での自己ブラッシングを可能にする。装置は、特に、子ども、年配の人またはハンディキャップまたは上肢の欠損のある人の歯をブラッシングするのに用いられることができる。本発明はまた、動物やペットの歯の清掃にも非常に有用である。
2019532791.tif 000002
【特許請求の範囲】
【請求項１】
補助歯科清掃装置であって、
歯清掃手段を有する台と、
歯清掃手段を有するヘッドと、
上記ヘッドと上記台との間の接続手段であって、上記台に対して上記ヘッドの少なくとも垂直移動を可能にする、接続手段と、
ハンドルと、
上記ヘッドの外部の一部分と上記ハンドルとの間の連結手段であって、上記ヘッドに対して上記ハンドルの回転を可能にする、連結手段と、を含むことを特徴とする補助歯科清掃装置。
【請求項２】
上記台は本体を有し、上記本体は、少なくとも、
後壁と、
上記後壁に対向して上記ヘッドを受ける接続手段であって、上記台の前部を形成する、接続手段と、
上記後壁と上記接続手段との間に水平に配置された中間結合手段であって、上記後壁と上記接続手段とを結合する、中間結合手段と、を含むことを特徴とする請求項１に記載の補助歯科清掃装置。
【請求項３】
上記後壁は、中間結合手段によって２つの部分に分かれており、上部部分と下部部分とを決定することを特徴とする請求項１に記載の補助歯科清掃装置。
【請求項４】
上記上部部分と下部部分のそれぞれは、上記中間結合手段に対して４５５°ないし１０５°の角度を有することができることを特徴とする請求項３に記載の補助歯科清掃装置。
【請求項５】
上記接続手段は、中間結合手段によって後壁に結合された前壁を含み、上記前壁は、上記前壁に面するヘッドの後部に配置される突起が収容されて、これらの突起に連結される穴を有し、上記前壁の他の側で、上記台の上記前壁が清掃板と上記ヘッドとの間に配置されるような清掃板である上記歯清掃手段を特徴とする請求項２に記載の補助歯科清掃装置。
【請求項６】
上記接続手段は、その内側に上記ヘッドが挿入される枠を含み、ヘッドの挿入は、ガイドに沿った上記ヘッドの移動のために、上記枠の対向する両側のうちの２つに配置されている少なくとも２つのガイドまたはレールの中に配置される端部で行われることを特徴とする請求項２に記載の補助歯科清掃装置。
【請求項７】
上記ガイドは、上記台の垂直な側に配置されていることを特徴とする請求項６に記載の補助歯科清掃装置。
【請求項８】
上記ガイドは、水平な、上記台の上側および下側にあることを特徴とする請求項６に記載の補助歯科清掃装置。
【請求項９】
上記台の接続手段は、突起を有する２つの垂直な支持材を含み、上記支持材に、個別の枠が結合され、これらの接続手段は、中間結合手段によって上記台の後壁に結合され、上記台は、枠の２つの対向する側に配置された少なくとも２つのガイドまたはレールを含み、そこに、上記ヘッドの両側が、それらのガイドに沿って移動するために導入されていることを特徴とする請求項２に記載の補助歯科清掃装置。
【請求項１０】
上記接続手段は、それぞれガイドまたはレールを有する２つの垂直な支持材を含み、そこに、上記ヘッドの一方の側が、それらのガイドに沿った上記ヘッドの移動を可能にするために配置されていることを特徴とする請求項２に記載の補助歯科清掃装置。
【請求項１１】
上記ヘッドの内側は、歯清掃手段を含むことを特徴とする請求項６、９および１０に記載の補助歯科清掃装置。
【請求項１２】
上記中間結合手段は、上記後壁の前部に沿って走る水平な本体を含み、これを２つに分け、上記後壁を上記接続手段と結合することを特徴とする請求項２に記載の補助歯科清掃装置。
【請求項１３】
上記中間結合手段は、上記後壁を上記接続手段と接続する両側のそれぞれにおいて水平な本体を含むことを特徴とする請求項２に記載の補助歯科清掃装置。
【請求項１４】
上記歯清掃手段は、毛を含むことを特徴とする請求項１に記載の補助歯科清掃装置。
【請求項１５】
上記穴は、ダイヤモンド形、円形または、垂直スロット形であることを特徴とする請求項５に記載の補助歯科清掃装置。
【発明の詳細な説明】
【発明の詳細な説明】
【０００１】
〔技術分野〕
本発明は、歯の両側、上部列および下部列を同時にブラッシング可能にする種類の補助歯科清掃装置に関する。年齢や、ハンディキャップまたは運動技能不足ゆえにブラッシングを自分ではできない全ての人のために、ブラッシングを自分ではできない人の全ての歯の適切なブラッシングを保証する他者によってブラッシングがなされる。装置はまた、それは両方の歯列弓および歯の両側で同時に行われるので、清掃時間の短縮やより簡単でより便利なブラッシング処理をするための自己ブラッシングを可能にする。これは、特に、子ども、年配またはハンディキャップの人、障害のある人、または上肢の欠損のある人のためのブラッシング装置である。それはまた、動物やペットの歯の清掃にも非常に有用である。
【０００２】
本発明の範囲は、歯科清掃（口腔衛生）部門の中にある。
【０００３】
〔背景技術〕
本発明が対処を目指す技術的問題は、個々の人が、主に年齢、身体的または精神的障害により自分ではブラッシングできないような場合に他者によって歯の適切なブラッシングを促進することである。
【０００４】
本発明は、この処理を安全に行うことを可能にし、歯の周りのブラシの移動を促進し、全ての歯へのアクセスを保証し、従来技術の構造および設計で用いられる現行の技術に由来するような、補助される人への危害を回避する。特に、欠点は以下のものを含む。
【０００５】
現行のヘッドは、歯列弓の自然の適合に、特に、歯列弓の内面で、適合していない。
【０００６】
現行の歯ブラシは、一体化されたヘッドとハンドルとからなるわずか１ピースであり、全体の歯列弓の清掃や、また、歯列弓における異なる領域へのヘッドの適合を促進していない。
【０００７】
現行の歯ブラシは、わずか一つの面だけを有し、歯の内面を傷つけることなく第三者によって清掃を補助することができない。
【０００８】
今日、従来技術は、実際に全てがユニバーサルデザイン（毛のあるヘッドと一体化された硬いハンドル）を有している歯科清掃のための多くの装置または歯ブラシに限定されており、ヘッドのデザインと毛の配置がそれぞれ異なるだけで、装置の機能上の相違点はない。同様に、従来技術は、歯列弓の周りにヘッドが移動する間に使用者がハンドルを保持するように、ハンドルに対して回転する、ヘッド上で種々の方法で配置された毛を有するヘッドと一体化されたハンドルをも有する電気的歯科清掃を含む。
【０００９】
しかしながら、歯の適切な清掃は、使用者に、それの上の垂直移動、すなわち、使用者によって生成された上部から下部への移動を生成することを要求するということが、歯科産業でよく知られ、また、ほとんどの歯科医および衛生士によって推奨されている。
【００１０】
ブラッシングのこの垂直の、および水性の移動でさえ、大人に適用されたときにはそれ自身は大きな問題を含んでいないが、しかしながら、子どもや、身体的または精神的障害のある人の場合には、いくらかの困難があり、または、不可能でさえあり、それゆえ、正確に行われるように、清掃中に子どもまたは障害のある人を補助する他者を必要とする。
【００１１】
出願人は、歯列弓の両側の清掃を可能にしながら、歯の上のヘッドの毛の垂直移動を有する歯のブラッシングに関して歯科医によって広く受領されている推奨事項を満たすような補助方法において、人のブラッシングを他者によって可能にする歯科清掃装置または歯ブラシを知らない。
【００１２】
本発明の使用によって最適な清掃が保証され、清掃に要する時間が減少し、ブラッシングが第三者によって行われるときに人に危害を加える可能性が減少する。
【００１３】
〔発明の概要〕
本発明の主要な目的は、請求項１のように、補助歯科清掃装置（補助口腔衛生装置）、すなわち、歯清掃手段を有する台と、歯清掃手段を有するヘッドと、上記台とヘッドとの間の接続手段であって、上記台に対して上記ヘッドの少なくとも垂直移動を可能にする、接続手段と、ハンドルと、上記ヘッドの外部の一部分と上記ハンドルとの間の連結手段であって、上記ヘッドに対して上記ハンドルの回転を可能にする、連結手段と、を含む装置を提供することである。
【００１４】
特に、ヘッドは可動であり、台に対してヘッドの少なくとも垂直移動を可能にする、それぞれの間の素子を接続する手段によって台に結合されている。ときには、台に対してのこのヘッドの垂直移動は、水平のおよび／または円形およびまたは楕円形の移動によって補足されることができる。さらに、ハンドルは、清掃装置の台に対してのヘッドの垂直移動を起こす素子として働く。このハンドルは、補助者によるブラシの使用を促進し、そのために、装置は、ヘッドの外部の一部分をハンドルに連結し、好ましくは球形関節としてその使用を可能にする手段を含む。両方の素子を連結するこれらの連結手段は、ハンドルの設計と同様に、ヘッドに対してハンドルの回転を可能にし、それゆえ、ハンドルの使用を可能にし、またそれゆえ任意の位置からの、特に、歯のブラッシングにて清掃される人の前面または側面からの、補助者による装置の使用を可能にする。これらの回転連結手段は、好ましくは、ハンドルの端部においてヘッドおよび球体の本体に収容部が配置されることができるように、またはその逆のように、その内部に球体の本体を有する、半球よりわずかに大きい穴を有する収容部と、その内部の内側の球体である。これらの連結手段は、ハンドルがヘッドの上で、およびそれゆえ台に対して３６０°回転するのを可能にする。
【００１５】
上述の通り、上記構成の方法は、ハンドルを保持している人が、容易に、かつ、歯がブラッシングされる人を傷つける危険性無しに、少なくとも垂直に、ヘッドに固定された歯清掃素子を移動することを可能にし、同様に、台およびヘッドの清掃のための素子が歯列弓に沿って左から右へまたはその逆に移動することを可能にする。
【００１６】
この補助歯科装置の台と可動ヘッドは、それらが連結されると、２つの収容部、すなわち土台（ベース）によって分離された上部および下部、を示す部分を示し、上部の収容部にて上部歯列弓の歯を受け、下部の収容部にて下部歯列弓の歯を受ける。これらの収容部の形状は、歯列弓の湾曲に適合するために必要な凹凸形状を両方とも有する前壁と柔軟な後壁とによって境界を定められている。後壁は、歯の背面すなわち内側に位置し、歯にわずかな圧力をかける。後壁は、土台すなわち中間結合手段によって前壁を結合する。
【００１７】
この形状を達成するために、台は、少なくとも以下のものを含む本体を有する：
今度は、互いの間にてある角度で上部部分および下部結合を含んでもよく、後壁自身またはその結合が、歯に対して凸または凹の湾曲を有してもよい、後壁、
後壁に対向して可動ヘッドを受けるためのいくつかの接続手段であって、台の前面を形成する接続手段であり、種々の構造を示す、接続手段、および、
後壁と接続手段との間に水平に配置されて、それらを結合する中間結合手段。
【００１８】
後壁の上部部分および下部部分は中間結合手段によって分離されており、これらの上部部分および下部部分は中間結合手段に対して４５°ないし１０５°の角度を示してもよく、すなわち、これらの部分の上部端および下部端は、それぞれ、ヘッドを有する接続手段にもっと近くまたはさらに遠くに移動してもよい。後壁の材料、すなわち上部部分および下部部分の材料は、前側角度が可変であってもよく、前側角度が歯のサイズに応じて、歯が収容部に入るにつれて、増加してもよい。したがって、台と台に対しての可動ヘッドによって確立される部分は、垂直な左側、２つの部分に分かれた後壁を有してもよく、これらのそれぞれは、右側に向かってまたは左側に向かって傾斜し、これらの部分は湾曲してもよい。本記載では、台とヘッドの部分に言及するとき、明示的な言及をする場合を除いて、以前に記載された形状のうちどれとも分別せずに言及しうる。
【００１９】
また、上述の通り、上部部分と下部部分と接続手段との間に形成された角度は、使っているうちに変化してもよく、すなわち、硬くはなく柔軟であり、歯のサイズへ適合してもよい。これは主として、台の本体とその種々の素子が作られる材料による。
【００２０】
ヘッドは、好ましくは、４つの辺を持った本体、長方形または正方形で、丸い角を有し、しかし、楕円形または卵形でもよく、本体は、ヘッドがハンドルによって作動して、台に対して少なくとも垂直移動できるようにする補助接続手段によって、台の背面または前面を形成する前述の接続手段と結合する。さらに、接続手段は、台に対してヘッドの円形移動と同様に、台に対してヘッドの横移動を可能にする。
【００２１】
ハンドルは、ハンドルがヘッドに対して回転できるように、ボールジョイントによってヘッドの前面に取り付けられている。
【００２２】
歯と接触しているまたはしうる全ての素子は、歯を清掃する手段を有し、これらの手段は、特に、毛、繊維またはスポンジを含みうる。これらの素子は、台の後壁の内側、中間結合手段の表面および可動ヘッドの内側部分にあり、これらは、清掃板から構成されてもよい。これらの素子は、好ましくは、その素子および装置におけるその位置に応じてその長さが可変の毛で覆われている。例えば、接続手段の毛は、１ないし３ｍｍであってよく、前壁および後壁の毛は、最大１ｃｍまでの長さを有してもよく、これらの毛は好ましくは台材料に一体化されている。いずれの場合にも、毛の長さは、必要に応じ、また装置の構造やその装置の対象者に応じて、変化してもよく、なぜなら、大人または子どもに対する装置は同じでないからである。清掃媒体がスポンジ、繊維または他のこのような手段の場合、その厚みは可変であってもよい。
【００２３】
ヘッドと台との間の接続手段は、上述のものとは異なる構成を含んでもよく、例えば、以下の通りである。
【００２４】
ある構成では、接続手段は、中間結合手段によって後壁に取り付けられた前壁を含み、この前壁は、ヘッドの後ろに固定された突起が収容されるダイヤモンド形状の穴を有する。ヘッドと台の前壁との間の接続を確実にするために、ヘッドの突起は、台の前壁が清掃板とヘッドとの間に配置されるように、清掃板に連結されている。ダイヤモンド形状の穴は、ヘッドを移動するハンドルによって移動して、垂直、水平または円形の通路においてその穴の中を突起が移動することを可能にし、今度は、歯をブラッシングする清掃板を移動する。この構成では、中間結合手段は、後壁の内側および前壁の内側に沿って走る水平な本体によって形成されてもよく、または、それらの壁の側面を結合するだけでもよい。
【００２５】
他の構成では、上述のものと同様に、前壁の穴は、台に対してヘッドと清掃板の垂直移動のみを可能にするスロットによって置き換えられる。
【００２６】
他の構成では、台の接続手段は、その内側にヘッドが挿入される枠を含み、この枠は、その下部および上部の水平側面、またはその垂直横側面、または両方の側面で、ヘッドの端部がそれぞれ挿入されるガイドまたはレールを有する。この構成では、ヘッドの端部がガイドまたはレール上でスライドするときに、ガイドがどこに配置されているかに応じて、台に対してヘッドからの垂直移動およびそれに加えて水平移動が可能である。この構成では、接続手段は、以前の場合のように、台の後壁の内側全体に沿ってスライドしてもよく、または、これの端部に配置されるだけでもよい。この構成でも、歯を清掃する手段を含むのは、ヘッドの内部の一部分である。
【００２７】
代替の構成では、接続手段は、独立した枠に取り付けられる突起を有する垂直な支持材を含み、これらは、中間結合手段によって台の後壁に取り付けられている。この枠上で、その上部および下部の側面には、ヘッドが取り付けられる溝またはガイドを有し、これらの溝にヘッドの端部が挿入され、したがって、台に一体化された枠に対してヘッドの垂直移動を可能にする。
【００２８】
他の構成では、ガイドの中でスライドする突起を通じてガイド上でヘッドが移動するガイドの役割を演じるのは、上記構成の側面支持材である。
【００２９】
台とヘッドとの間の接続手段の構成にかかわらず、本発明の対象である補助歯科清掃装置は、歯を清掃しようとする使用者に、台の後壁、中間結合手段および接続手段を有するヘッドの間に、すなわち、上部収容部および下部収容部に、歯を挿入することを要求する。
【００３０】
好ましくは、台およびヘッドはいずれも、そこに取り付けられたバイオフィルムの効果的な除去のために、片手で歯の上で装置の圧力の適合および調節が可能な、弾性特性のある適合性のある材料（ゴムまたはそれに類するもの）で出来ている。これはさらに、種々の幅の歯の収容が可能である。上述の通り、上部収容部および下部収容部を確立する台とヘッドによって形成された部分は、歯列弓に適合するための上述の材料の特性ゆえに、ある程度の弾性を示す。これによって、歯列弓の内側面および外側面で、台の後壁とヘッドの両方が、両方に常に接触することができ、さらに、歯列弓の通路全体に沿ってブラシを移動することができ、台の土台においてだけでなく壁においても、台部分の両方の壁とヘッドとを、前側の歯の領域および臼歯の領域の両方に適合させる。
【００３１】
また、装置は、例えばハンドルの内側にバッテリーを備えることによって、ハンドルに、電動バイブレータを備えてもよく、これは、ヘッドに接続されて、垂直振動の使用を可能にし、それによって、毎秒に、より大きな数の移動で、清掃を支援する。
【００３２】
〔図面の簡単な説明〕
本発明の説明を完成させるため、および、その特徴の理解を完成させるためおよび促進するために、本明細書に一組の図面を添付し、これは、説明のためのものであって限定的なものでない性質にて本発明の実施形態を代表する。
図１は、本発明の対象である補助歯科清掃装置の第１実施例の斜視図である。
図２は、図１に示す装置の第１実施形態の分解図を示す図である。
図３は、図１に示す装置の分解図の第２実施形態を示す図である。
図４は、台に対する図３からの実施形態におけるヘッドの垂直移動を示す図である。
図５ａは、丸い端部を有する長方形状の本体を有するヘッドおよび台を示す図である。
図５ｂは、卵形状の本体を有するヘッドおよび台を示す図である。
図６ａおよび図６ｂは、本発明の装置の第１または第２実施形態の部分を示す図である。
図７は、補助歯科清掃装置の第２実施例の斜視図である。
図８は、図７に示す補助歯科清掃装置の第１実施形態の分解図である。
図９は、図７の装置の部分を示す図である。
図１０は、図７に示す補助歯科清掃装置の第２実施形態の分解図である。
図１１ａは、補助歯科清掃装置の第３実施例の分解図である。
図１１ｂは、図１１ａの清掃装置の実施形態の部分を示す図である。
図１２ａは、補助歯科清掃装置の第４実施例の分解図である。
図１２ｂは、図１２ａの清掃装置の実施形態の部分を示す図である。
図１３は、本発明の対象である補助歯科清掃装置の３つの位置が示された歯列弓の平面図である。
図１４は、本発明の対象である補助歯科清掃装置で他者の歯をブラッシングする人の正面図である。
【００３３】
〔発明を実施するための形態〕
以下に、本発明の種々の実施形態を示すが、これらは限定的なものではない。
【００３４】
具体的には、図１および図２は、第１の歯科清掃装置５００または歯ブラシを示し、これは、歯清掃手段３０３を有する台（フレーム）３００と、歯清掃手段４００を有するヘッド２００と、台３００に対してヘッド２００の垂直移動および水平移動を可能にする、ヘッド２００と台３００の間の接続手段３１０と、ハンドル１００と、ヘッド２００に対してハンドルの回転を可能にする、ヘッド２００とハンドル１００との間の連結手段２０１とを含む。
【００３５】
図１は、台４００に対する、少なくとも２方向の、ヘッド２００の移動と、歯６００に沿った台３００の移動を示す。
【００３６】
図２は、台３００、ヘッド２００、ハンドル１００および、台３００に対するヘッド２００の接続手段３１２歯ブラシ５００の第１実施形態の分解図を示す。
【００３７】
台３００は、上部収容部および下部収容部を決定する部分を有する本体を有し、その２つの後壁が前部に向かってわずかに傾斜していることを示している。具体的には、これは、以下のものを示している：
今度は、互いに対して角度を有する上部分および下部分を含むことができる後壁３１１、
後壁３１１に対向して可動ヘッド２００を受ける接続手段であって、台３００の前部すなわち前壁３１０を形成する、接続手段、
台３００の２つの壁３１０・３１１に沿って後壁３１１と接続手段３１０との間に水平に配置された中間結合手段であって、これらを結合する、中間結合手段３１２。
【００３８】
具体的には、接続手段３１０は前壁３１０を含み、前壁は、中間結合手段３１２によって後壁３１１に取り付けられ、中間結合手段は、この場合には、台３００の２つの壁、前壁３１０・後壁３１１に沿って、互いの間で走る、前壁３１０に垂直な水平の土台である。前壁３１０は、穴または開口部３０２を有し、好ましくはダイヤモンド形であり、これらの穴または開口部は、板４００とヘッド２００の間にある結合手段によって貫通（横断）されている。このような結合手段は、具体的には、ヘッド２００の前部に配置された中空の円筒２０２と、板４００の後部に配置された突起４０２である。組み立てにおいては、前壁３１０が板４００とヘッド２００の間に配置されるように、台３００の穴３０２を通じて円筒２０２と突起４０２が連結される。
【００３９】
この例は、中間結合手段として働く土台３１２の両側で、２つの板４００、上部のものと下部のもの、を示していることに注意すべきである。これらのダイヤモンド形の穴３０２は、ヘッド２００を移動するハンドル１００によって引かれて、垂直、水平または円形の通路の穴３０２の中をヘッド２０２上の突起が移動することを可能にする。ヘッドは、清掃板４００に結合され、さらに、それ自身の移動によって清掃板を引き、歯の清掃を行う。
【００４０】
歯と接触しやすい全ての素子は、その清掃手段４０３・３０３を含んでおり、これらの手段は、特に、毛、タオルまたはスポンジを含むことができ、したがって、この実施形態では、台３００の後壁３１１の内側、中間結合手段として働く土台３１２、および板４００の内側が、それらが配置されるブラシ５００の部分に応じて、１ないし３ｍｍの毛のようなこれらの清掃手段で覆われている。明らかに、清掃手段は、それが位置するブラシの部分に応じて、異なっていてもよく、例えば、台３００の接続手段３１２上では毛を有し、後壁３１１を台３００の前壁３１０に接続する土台３１２ではタオルまたはそれに類似するものが適切である。このような清掃手段は、台３００と同じ材料で製造されてもそうでなくてもよく、したがって、台３００の部分を形成してもしなくてもよい。
【００４１】
ヘッド２００は、台３００に対して可動であり、今度は、台３００とヘッド２００の間にある結合手段に応じて、台に対してヘッド２００の移動を可能にするハンドル１００に接続されている。このハンドル１００は、補助者によるブラシ５００の使用を促進し、そのために、装置は、ヘッド２００とハンドル１００の間の連結手段であって、ヘッド２００に対してハンドル１００の回転を可能にする連結手段を含む。これらの回転連結手段は、好ましくは、ハンドル１００の端部においてヘッド２００および球体の本体１０１に収容部２０１が位置することができるように、またはその逆のように、半球よりもわずかに大きい穴を有する収容部２０１と、その内部の内側の球体１０１である。これらの手段は、ヘッド２００上で、したがって台３００に対して、ハンドル１００が３６０°回転することを可能にする。
【００４２】
ブラシの使用としては、台とヘッドによって形成される上部収容部部分に、すなわち、上部板４００、台の土台３１２および台３００の後壁３１１の上部の間に存在する空間に、上部の歯列弓６００の歯を配置し、以前の部分によって決定された底部収容部に、すなわち、下部板４００、土台３１２および後壁３１１の下部の間に存在する空間に、下部の歯列弓６００の歯を配置するだけでよい。使用者が噛むことなく、一旦、２つの歯列弓６００の間にブラシ５００が配置されたら、補助者または使用者（図１３および図１４参照）は、ハンドル１００を保持し、清掃手段が全ての歯を覆うように、両方の歯列弓の歯の上で台３００を移動させる。この通路に加えて、本発明の対象である装置すなわち歯ブラシ５００は、歯科協会が薦めるように、前面の歯の前面水平移動にかかわらず、垂直なブラッシングを可能にする。それゆえ、ハンドル１００によって移動するヘッド２００が、台の穴または開口部３０２に沿って垂直に移動し、歯のブラッシングを可能にするように、ブラシ５００が所定の位置にあるときにハンドルが上下に移動することが必要である。穴または開口部３０２の構造によって可能にされるこの垂直移動は、回転および／または並進運動を伴ってもよい。
【００４３】
図２および図３は、上記実施形態の代替の実施形態を示し、ここでは、歯科清掃装置５０１は、台３００に対してヘッド２００の垂直移動だけができるようになっており、このようにするために、図に示すように、板４００とヘッド２００との間の結合手段すなわち円筒２０２および突起４０２が上下だけ移動できるように、穴または開口部３０２はスロットである。図３はまた、ハンドルが内側にバッテリーを含んでいて、ボタン１１２を押すことでハンドル１１０とヘッド２００の間に配置された振動装置１１１が作動し、台３００に対してヘッド２００を移動させる例を示す。この移動は、２つの歯列弓の上でブラシ５０１の並進運動を伴う。
【００４４】
これらの２つの例では台は丸い角を有するほぼ長方形の構成を有しているが、図５ａおよび図５ｂに示すように、台およびヘッドの構成は、異なる口に適合するために異なっていてもよい。例えば、図５ａは、角ではなく湾曲した側面を有する本質的に長方形の台およびヘッドを示し、一方、図５ｂは、湾曲した側面を有する正方形状、すなわち以前のものより小さい寸法を有する、台とヘッドを示している。さらに、台とヘッドの形状は、卵形または楕円形であってもよい。
【００４５】
図６ａおよび図６ｂは、第１実施形態５００の２つの部分を示し、ここでは、装置５００の後部に向かってわずかに傾斜している、台３００の後壁３１１の上部および下部の配置が観察される。同様に、後壁３１１、それが製造される材料に起因して、ゴムまたはそれに類するもの、は、装置５００の使用中に土台３１２に対して形成される角度のわずかな振動を可能にする。これによって、後壁３１１が、上部および下部の歯列弓の両方の内側に適合することができる。図６Ａは、板４００とヘッド２００の間の結合手段と同様に、台３００の前壁３１０の穴または貫通穴３０２を示している。図６ｂは、ハンドル１００とヘッド２００の間の回転連結の部分を示している。
【００４６】
図７、図８および図９は、本発明の対象である歯科清掃装置の他の実施形態を示す。この例では、ヘッド２００と連結するための台３００の接続手段は、台３１５を含み、これは、以前の例の台３００の前壁３１０を置き換え、それの中へヘッドが導入される。これのために、台３１５は、その上部側および下部側に、その中へヘッド２００の上部側２０５および下部側２０６が挿入されるような、ガイドまたはレールを含んでいる。この配置は、台３００に対してハンドル１００によって移動されるヘッド２００の垂直移動であって、ヘッド２００の上部側２０５および下部側２０６に沿って、および、台３００の枠３１５の上部および下部ガイド３１７に沿って移動する、ヘッド２００の垂直移動を可能にする。装置５０５の残りの素子は、以前の図の例と同じ構造を有している。具体的には、土台に対してわずかに傾斜した上部および下部を有する台の後壁３１１、台３００の後壁３１１に沿って横切って左右に走り、分離された２つの穴を枠３１５に確立する土台３１２、および、ヘッド２００に回転連結するハンドル１００である。
【００４７】
この例では、上述の例の板４００を省略しているが、装置５０５は歯清掃手段を組み込むヘッドを有しており、歯清掃手段は、上述のもののうちのいずれであってもよい。台３００の枠３１５を通って横切って左右に走る土台３１２があるので、これらの清掃手段２０３は上部分および下部分の２つの部分に分かれており、台３００に対してヘッド２００の垂直移動を可能にする。
【００４８】
図１０は、上述の例の装置５０５と同じ、台３００へのヘッド２００の接続手段または連結手段を有する、清掃装置５０６の他の例を示す。具体的には、２つの装置５０５、５０６の相違点は、後者の実施形態の装置５０６の土台すなわち中間結合手段が、台３００の後壁３１１に沿って横切って左右に走って台３１５を上部分および下部分の２つの部分に分けるのではなく、後壁３１１に枠３１５を取り付ける役目をする２つの横支持材３１３、３１４を有するだけである。この構成によれば、ヘッド２００は、台３００の支持材３１３、３１４が挿入されるこの表面の２つの側面領域を除いて、歯清掃手段２０４、毛またはそれに類似するもの、によって覆われた内壁を有している。装置５０６の残りの素子は、上述の例の装置５０５と同じである。
【００４９】
ヘッドの上部側２０５および下部側２０６が連結されるガイド３１７を有する枠３１５を含む以前の例の歯科清掃装置５０５、５０６のどちらにおいても、台３００に対してヘッド２００の垂直移動を可能にする上記ガイドおよび側に加えて、ヘッドの上記側がガイドに入ることができてそれゆえ台に対してヘッドのすでに利用可能な垂直移動に加えて水平移動やさらには円形移動も可能にするように、枠に横ガイドをさらに導入することができる。
【００５０】
上述の例に対する代替では、歯科清掃装置５０７は、図１１ａおよび図１１ｂに示されており、これは、ヘッド２００との接続手段として、台３００に一体化された一体化枠３１５の代わりに、台３００の前部を接続する水平支持材３１３、３１４と一体化された２つの垂直支持材３２０（この場合には、後壁３１１と一体化された垂直支持材３２０）を含む。これらの垂直支持材３２０は、枠３２３の圧力によって穴３２４と連結するための突起３２２を含んでいる。この枠は、ヘッドの上部側２０５および下部側２０６を収容することを意図された上部および下部ガイド３２６を含み、台３００に対してヘッドの垂直移動を可能にする。この例では、ヘッド２００の内側表面は、歯清掃手段２０８で完全に覆われている。
【００５１】
図１１ｂは、上部および下部の前面の歯６１０の清掃に適用される、図１１ａに示す歯科装置５０７の部分を示す。そこでは、装置５０７が口腔内に適合する様子を観察することができる。特に、後壁３１１の上部分および下部分は、装置の使用者を傷つけることなく歯茎６０１、６０２と歯との間の角度の変化に適合するために、後方へ傾斜している。また、示された例では毛である清掃手段は、歯６１０間の、および歯６１０と歯茎６０１、６０２との間の、種々の隙間を清掃することができるようにするために、口の形状に適合している。
【００５２】
上述の例では、後壁３１１の上部分および下部分は、装置が使用されていないときは、中間結合手段３１２、３１３、３１４に対して、およそ１１０°の鈍角を形成し、装置が使用されているときは、中間結合手段に対して、１３０°に達しうる。使用時に角度が変化しうるという事実によって、後壁３１１が歯のサイズおよび口の形状に適合することが可能になる。
【００５３】
図１２ａおよび図１２ｂは、本発明に係る歯科装置５０８の最後の例を示す。特に、図は、以前の歯科装置５０７と類似の構成を有する装置５０８を示しており、台３００上の接続手段として、垂直支持材３２０の代わりに、２つの水平支持材３３２によって台３００の後壁３３１に結合された、垂直ガイド３３３、３３４を有する垂直支持材３３０を含む。これらの垂直ガイド３３３、３３４は、上部分３３３と下部分の２つの部分に分けられており、好ましくは同じ長さであり、その部分の中で４つの突起２２０が移動し、それらの突起のうちの２つが、ヘッド２００の側面のそれぞれに配置されている。これらの突起は、台のガイド３３０が分けられた４つの部分のうちの１つに沿ってそれぞれが移動するように、間隔が開けられており、したがって、ヘッド２００が台３００から離れるリスク無しに、台３００に対してヘッド２００の垂直移動を可能にする。
【００５４】
この例の装置５０８は、上記の例に示されるものに対する代替の後壁３３１を含んでいる。特に、後壁３３１は、装置の後方に向かって傾斜するのではなく、装置の前方に向かって、すなわちヘッド２００に向かって傾斜している、上部分および下部分を示している。台３００の後壁３３１のこの代替的構成はまた、清掃手段３０３、２０３の長さを調節して、装置が、歯６１１間の、および歯６１１と歯茎６０１、６０２との間の、空間に到達することを可能にする。この後壁３３１はまた、その構造および材料のゆえに、この後壁３３１を垂直支持材３３０に結合する水平支持材３３２に対して後壁３３１の上部分および下部分の移動を可能にする。
【００５５】
この装置５０８の後壁３３１の上部分および下部分は、装置５０８が使用されていないときは、この水平支持材３３２に対して、およそ７５°の鋭角を形成し、装置が使用されているときは、この支持材に対して、９５°に達しうる。使用時に角度が変化しうるという事実によって、後壁３１１が歯のサイズおよび口の形状に適合することが可能になる。
【００５６】
上述の例によれば、この分野の専門家が、請求項１に含まれる特徴に係る歯科清掃装置を開発するために、種々の例の素子と構造の特徴を組み合わせることができるのは言うまでもない。特に、専門家は、台の後壁の可能性のある配置、すなわち、口の内部に向かって外面上で凸部、または、口の内部に向かって凹部で、台とヘッドの間での種々の可能性の連結のうち、任意のものを組み合わせることができる。
【００５７】
図１３および図１４は、ハンドルを保持している人は誰でも、容易に、また、歯をブラッシングしてもらう人を傷つける危険性無しに、装置のヘッドに配置された歯清掃手段を少なくとも垂直に移動すること、同様に、台に配置された歯清掃手段を歯列弓に沿って左から右へまたはその逆に移動すること、を可能にするような、本発明の対象である装置の使用を示す。したがって、歯をブラッシングしてもらう使用者が、一旦、台の後壁、中間結合手段および接続手段を有するヘッドの間に、すなわち、おおまかにいえば「Ｈ」を表す部分に、歯を導入すると、使用者を補助する人は、ハンドルの支援で、歯列弓に沿って台を移動することができ、また、歯の上でヘッドを少なくとも垂直に移動することができる。
【００５８】
好ましくは、台およびヘッドはいずれも、それらに取り付けられたバイオフィルムの効果的な除去が達成されるように、歯の上で装置の圧力の適合および調節が可能な、適合性のある材料（ゴムまたはそれに類するもの）で出来ている。
【図面の簡単な説明】
【００５９】
【図１】本発明の対象である補助歯科清掃装置の第１実施例の斜視図である。
【図２】図１に示す装置の第１実施形態の分解図を示す図である。
【図３】図１に示す装置の分解図の第２実施形態を示す図である。
【図４】台に対する図３からの実施形態におけるヘッドの垂直移動を示す図である。
【図５ａ】丸い端部を有する長方形状の本体を有するヘッドおよび台を示す図である。
【図５ｂ】卵形状の本体を有するヘッドおよび台を示す図である。
【図６ａ】本発明の装置の第１または第２実施形態の部分を示す図である。
【図６ｂ】本発明の装置の第１または第２実施形態の部分を示す図である。
【図７】補助歯科清掃装置の第２実施例の斜視図である。
【図８】図７に示す補助歯科清掃装置の第１実施形態の分解図である。
【図９】図７の装置の部分を示す図である。
【図１０】図７に示す補助歯科清掃装置の第２実施形態の分解図である。
【図１１ａ】補助歯科清掃装置の第３実施例の分解図である。
【図１１ｂ】図１１ａの清掃装置の実施形態の部分を示す図である。
【図１２ａ】補助歯科清掃装置の第４実施例の分解図である。
【図１２ｂ】図１２ａの清掃装置の実施形態の部分を示す図である。
【図１３】本発明の対象である補助歯科清掃装置の３つの位置が示された歯列弓の平面図である。
【図１４】本発明の対象である補助歯科清掃装置で他者の歯をブラッシングする人の正面図である。
【図１】
2019532791.tif 000003
【図２】
2019532791.tif 000004
【図３】
2019532791.tif 000005
【図４】
2019532791.tif 000006
【図５ａ】
2019532791.tif 000007
【図５ｂ】
2019532791.tif 000008
【図６ａ】
2019532791.tif 000009
【図６ｂ】
2019532791.tif 000010
【図７】
2019532791.tif 000011
【図８】
2019532791.tif 000012
【図９】
2019532791.tif 000013
【図１０】
2019532791.tif 000014
【図１１ａ】
2019532791.tif 000015
【図１１ｂ】
2019532791.tif 000016
【図１２ａ】
2019532791.tif 000017
【図１２ｂ】
2019532791.tif 000018
【図１３】
2019532791.tif 000019
【図１４】
2019532791.tif 000020
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
補助歯科清掃装置であって、
歯清掃手段を有する台と、
歯清掃手段を有するヘッドと、
上記ヘッドと上記台の内部との間の接続手段であって、上記台に対しておよび上記台の中で上記ヘッドの歯上の少なくとも垂直移動を可能にする、接続手段と、
ハンドルと、
上記ヘッドの外部の一部分と上記ハンドルとの間の連結手段であって、上記ヘッドに対して上記ハンドルの回転を可能にする、連結手段と、を含むことを特徴とする補助歯科清掃装置。
【請求項２】
上記台は本体を有し、上記本体は、少なくとも、
後壁と、
上記後壁に対向して上記ヘッドを受ける接続手段であって、上記台の前部を形成する、接続手段と、
上記後壁と上記接続手段との間に水平に配置された中間結合手段であって、上記後壁と上記接続手段とを結合する、中間結合手段と、を含むことを特徴とする請求項１に記載の補助歯科清掃装置。
【請求項３】
上記後壁は、中間結合手段によって２つの部分に分かれており、上部部分と下部部分とを決定することを特徴とする請求項１に記載の補助歯科清掃装置。
【請求項４】
上記上部部分と下部部分のそれぞれは、上記中間結合手段に対して４５°ないし１０５°の角度を有することができることを特徴とする請求項３に記載の補助歯科清掃装置。
【請求項５】
上記接続手段は、中間結合手段によって後壁に結合された前壁を含み、上記前壁は、上記前壁に面するヘッドの後部に配置される突起が収容されて、これらの突起に連結される穴を有し、上記前壁の他の側で、上記台の上記前壁が清掃板と上記ヘッドとの間に配置されるような清掃板である上記歯清掃手段を特徴とする請求項２に記載の補助歯科清掃装置。
【請求項６】
上記接続手段は、その内側に上記ヘッドが挿入される枠を含み、ヘッドの挿入は、ガイドに沿った上記ヘッドの移動のために、上記枠の対向する両側のうちの２つに配置されている少なくとも２つのガイドまたはレールの中に配置される端部で行われることを特徴とする請求項２に記載の補助歯科清掃装置。
【請求項７】
上記ガイドは、上記台の垂直な側に配置されていることを特徴とする請求項６に記載の補助歯科清掃装置。
【請求項８】
上記ガイドは、水平な、上記台の上側および下側にあることを特徴とする請求項６に記載の補助歯科清掃装置。
【請求項９】
上記台の接続手段は、突起を有する２つの垂直な支持材を含み、上記支持材に、個別の枠が結合され、これらの接続手段は、中間結合手段によって上記台の後壁に結合され、上記台は、枠の２つの対向する側に配置された少なくとも２つのガイドまたはレールを含み、そこに、上記ヘッドの両側が、それらのガイドに沿って移動するために導入されていることを特徴とする請求項２に記載の補助歯科清掃装置。
【請求項１０】
上記接続手段は、それぞれガイドまたはレールを有する２つの垂直な支持材を含み、そこに、上記ヘッドの一方の側が、それらのガイドに沿った上記ヘッドの移動を可能にするために配置されていることを特徴とする請求項２に記載の補助歯科清掃装置。
【請求項１１】
上記ヘッドの内側は、歯清掃手段を含むことを特徴とする請求項６、９および１０に記載の補助歯科清掃装置。
【請求項１２】
上記中間結合手段は、上記後壁の前部に沿って走る水平な本体を含み、これを２つに分け、上記後壁を上記接続手段と結合することを特徴とする請求項２に記載の補助歯科清掃装置。
【請求項１３】
上記中間結合手段は、上記後壁を上記接続手段と接続する両側のそれぞれにおいて水平な本体を含むことを特徴とする請求項２に記載の補助歯科清掃装置。
【請求項１４】
上記歯清掃手段は、毛を含むことを特徴とする請求項１に記載の補助歯科清掃装置。
【請求項１５】
上記穴は、ダイヤモンド形、円形または、垂直スロット形であることを特徴とする請求項５に記載の補助歯科清掃装置。
【国際調査報告】
2019532791.tif 000021
2019532791.tif 000022
2019532791.tif 000023
2019532791.tif 000024
2019532791.tif 000025
2019532791.tif 000026